(57)【特許請求の範囲】
【請求項１】
引戸の戸先部に埋設された偏平なケースと、このケース内において、戸枠に対向するフロント板を貫通してこれに垂直な前後方向に移動可能に案内され、フロント板から突出する方向の前方に付勢された作動杆と、この作動杆の内端においてケースの側板に平行な方向に突設され、先端部に延長がフロント板と鋭角で斜交する係止面を形成した制御部と、作動杆の近傍において、ケースの側板と平行な平面内で回動できるように支承された係止杆と、この係止杆に連係され、引戸の外面及び／又は内面に回動可能に設けられた操作部材とを有し、引戸の閉鎖時作動杆がケース内に押込まれた状態において、係止杆の先端を制御部の係止面に斜め外方から衝接させ、もって作動杆の付勢力の係止杆の長さ方向の分力を係止杆の回動軸に担持させると共に、引戸の開放時、操作部材を介して係止杆の先端をフロント板に近接する方向に回動させ、係止杆と作動杆との係合を解くようにしたことを特徴とする引戸の開戸補助装置。
【発明の詳細な説明】
【０００１】
【発明の属する技術分野】
この発明は、引戸の開戸補助装置（以下単に開戸補助装置という）に係り、特に、引戸の開戸を容易にした新規な開戸補助装置に関する。
【０００２】
【従来の技術】
近年、引戸の戸先と戸枠との間にパッキン材を設け、閉戸時の衝撃を緩和し、或いは閉鎖状態を安定に保つようにした引戸が提案され、実用されている。
【０００３】
この引戸は、閉扉時、例えば戸先又は戸枠の一方に設けたパッキン材を他方に設けた封止部材に係合、摺接させて封止するように構成されている。
【０００４】
【発明が解決しようとする課題】
しかしながら、かかる引戸は、引戸を開けるとき、戸先におけるパッキン材と封止部材との摩擦係合が解けるまでの間、僅かな行程ではあるが引戸が重くなり使い勝手が悪い、という不都合がある。
【０００５】
そこで、この発明は、引戸の開戸時ばねの力により引戸を開放方向に押動して開戸を容易にする新規な開戸補助装置を提供し、もって引戸の使い勝手を向上させることを目的としている。
【０００６】
【課題を解決するための手段】
上記の目的を達成するため、この発明は、引戸の戸先部に埋設された偏平なケースと、このケース内において、戸枠に対向するフロント板を貫通してこれに垂直な前後方向に移動可能に案内され、フロント板から突出する方向の前方に付勢された作動杆と、この作動杆の内端においてケースの側板に平行な方向に突設され、先端部に延長がフロント板と鋭角で斜交する係止面を形成した制御部と、作動杆の近傍において、ケースの側板と平行な平面内で回動できるように支承された係止杆と、この係止杆に連係され、引戸の外面及び／又は内面に回動可能に設けられた操作部材とを有し、引戸の閉鎖時作動杆がケース内に押込まれた状態において、係止杆の先端を制御部の係止面に斜め外方から衝接させ、もって作動杆の付勢力の係止杆の長さ方向の分力を係止杆の回動軸に担持させると共に、引戸の開放時、操作部材を介して係止杆の先端をフロント板に近接する方向に回動させ、係止杆と作動杆との係合を解くようにしたことを特徴とする。
【０００７】
【実施例】
以下、この発明の実施例を図面を参照して説明する。
図２乃至図４において符号１はケースを示し、このケース１は、図１乃至図３に示すように、引戸２の戸先部に埋設された偏平な箱状体である。
【０００８】
このケース１は、例えば図３に示すように、引戸の戸先面に開口した付番しない取付穴に戸枠側から嵌め込まれ、取っ手の座板３、３を固定する取付ねじ４によって回り止めが施されている。なお、ケース１の固定は後述の操作摘み軸によってもなされているが、この発明の要旨ではないので更に詳細な説明は省略する。
【０００９】
このケース１内には、図４に示すように、引戸の戸枠５（図３参照）に対向するフロント板６を貫通して、これに垂直な前後方向（図４で左右方向）に移動可能に案内された作動杆７が設けられている。
【００１０】
なお、この作動杆７の案内装置は、例えば図４に示す作動杆７の裏面側に突設された図示しないガイドピンとケース１の側板に前後方向に開口したガイド溝との係合、及びフロント板６における作動杆７用の開口で構成することができる。
【００１１】
図示の実施例における作動杆７は、横断面形状が矩形の細長いブロック体で、その前端部が半円形に成形されている。
【００１２】
そして、この作動杆７の後端面（フロント板６から見て内端面）から前端部にかけて形成された空洞部には、圧縮コイルばねとしてのプッシュばね８が弾装されている。
【００１３】
このプッシュばねの弾力は、図４に実線で示すように作動杆７がケース１内に押込まれた状態で、例えばパッキン材による引戸の係止力（摩擦力）よりやや大きく設定する。
【００１４】
また、作動杆７の内端には、ケース１の側板に平行な下方に延伸する制御部９が一体に形成されており、この制御部９の先端部（下端部）には、延長がフロント板６と鋭角（例えば４５度）で斜交する斜面１１が形成されている。
【００１５】
一方、作動杆７の下方における近傍に係止杆１２が配設されており、この係止杆１２はケース１の側板と平行な平面内で回動できるように支承されている。
【００１６】
この係止杆１２は、例えば図４に示すように、半径方向に延伸する作動アーム１３と、回動中心に関しこの作動アーム１３とは対称的な角度位置に形成されたクリック突部１４とを形成している。
【００１７】
そして、ケース１の側板内面には一対のストッパー１５、１５が突設されており、これらのストッパー１５、１５によって、作動アーム１３の回動角度範囲は例えば４５度に制限されている。
【００１８】
また、上記クリック突部１４の下方には、係止杆１２に近接する方向に付勢され、クリック突部１４と係合するＶ字溝を形成したクリック板１６が設けられており、このクリック板１６のＶ字溝とクリック突部１４との係合、及びクリック板とクリック突部１４の一方の側面との接合時にクリック作用が生じるように構成されている。
【００１９】
他方、図１乃至図３に示すように、引戸の内外面の取っ手の座板３の下方に形成された凹陥部内には操作摘み１７が回動自在に設けられており、各操作摘み１７は上記係止杆１２に回動軸を同じくして連結されている。
【００２０】
上記のように構成されたこの発明の一実施例による開戸補助装置は、引戸を開けたときには作動杆７はそのプッシュばね８の弾力によって図４に鎖線で示す位置にまで突出している。
【００２１】
引戸を閉鎖するとき、特に戸先が戸枠に近接するとパッキン材の作用により引戸に摩擦抵抗が生じるが、それに構わずに図３に示す引戸閉鎖位置にまで引戸を移動させる。
【００２２】
このとき同時に、作動杆７がプッシュばね８の弾力に抗してケース１内に押込まれ、図４に実線で示す位置にまで引っ込む。
【００２３】
そこで、図示しない施錠装置を作動させて引戸を施錠すると共に、操作摘み１７を操作して係止杆１２を図４で時計方向に回動させ、作動アーム１３の先端を作動杆の内端の斜面１１に接合させる。
【００２４】
すると、プッシュばね８の弾力は制御部９及び係止杆１２の係合を介して係止杆の回動軸に担持されるようになり、作動杆７のケース１内に引っ込んだ状態は係止杆１２により安定に保たれる。
【００２５】
引戸を開けるときには、図示しない施錠装置を解除した後操作摘み１７を図２で僅かな角度反時計方向に回す。
【００２６】
すると、作動アーム１３の先端が図４で左方に移動し、作動アーム１３と制御部９との係合が外れるので、自由になった作動杆７はプッシュばね８の弾力によって前方に移動し、以後制御部９が作動アーム１３の先端を介して前方のストッパー１５に係止されるに致り停止する。
【００２７】
このとき、フロント板６から突出する作動杆７は戸枠から反力を受けるので、ケース１及びこれと一体の引戸２は開放方向に力を受ける。
【００２８】
この力はプッシュばね８の弾力に等しくて引戸の摩擦力より大きいとしたから、操作摘み１７を操作するだけで引戸２は自動的に少し開き、以後通常の操作力で引戸を開けることができるので、開け始めに大きな力を必要とせず使い勝手が良い。
【００２９】
なお、ケース１から突出した作動杆７を引っ込ませるには、前記したように引戸を閉鎖するとき戸枠からの反力を利用してもよいし、引戸開放後手指で作動杆７を引っ込ませると共に操作摘み１７を回して作動杆７を係止杆１２で係止するようにしてもよい。
【００３０】
また、プッシュばね８の弾力を引戸の摩擦力より小さく設定してもよく、この場合、操作摘み１７を操作するだけでは引戸は開かないが、プッシュばねの弾力に加えて手で僅かに引戸を開放方向に押動すれば、これらの力の和が摩擦力を越えたとき引戸が開く。
【００３１】
【発明の効果】
以上の説明から明らかなように、この発明は、引戸の戸先に設けたケース内に戸枠方向に付勢された作動杆を前後方向に移動可能に設け、引戸を開くときこの作動杆が戸枠方向に突出する力を開戸に利用するので、開戸時引戸が重くなる不都合を解消することができ、引戸の使い勝手が向上する、という所期の効果を奏する。
【図面の簡単な説明】
【図１】この発明の一実施例による開戸補助装置の正面図。
【図２】その側面図。
【図３】その平面図。
【図４】ケースの一部断面側面図。
【符号の説明】
１  ケース
２  引戸
５  戸枠
６  フロント板
７  作動杆
８  プッシュばね
９  制御部
１１  斜面
１２  係止杆
１３  作動アーム
１５  ストッパー
１７  操作摘み
【図１】
0003976956.tif 000002
【図２】
0003976956.tif 000003
【図３】
0003976956.tif 000004
【図４】
0003976956.tif 000005